(57)【要約】【課題】外観のよいスイングドア用の指詰め防止具を提供する。【解決手段】適度な弾性と硬度を有する一体的な合成樹脂シート材から構成され、ドアＡのヒンジ取付側端部に取り付けられた第１取付片１と、固定枠体Ｃに取り付けられた第２取付片２と、第１の垂直な折込部３を介して展開可能に二つ折りされた第１カバー体４並びに第２カバー体５と、前記第１取付片１と第１カバー体４とを展開可能に連結する第２の垂直な折込部６と、第２取付片２と第２カバー体５を展開可能に連結する第３の垂直な折込部７とからなり、ドアＡを閉じたときに第２カバー体５が弯曲姿勢となって第１カバー体４を扉Ａの内面９弾力的に押しつけて第１カバー体４を扉内面に密接するようにした構造。【選択図】図２
2011247007.tif 000002
【特許請求の範囲】
【請求項１】
適度な弾性と硬度を有する一体的な合成樹脂シート材から構成され、ドアのヒンジ取付側端部に取り付けられた第１取付片と、固定枠体に取り付けられた第２取付片と、第１の垂直な折込部を介して展開可能に二つ折りされた第１カバー体並びに第２カバー体と、前記第１取付片と第１カバー体とを展開可能に連結する第２の垂直な折込部と、第２取付片と第２カバー体を展開可能に連結する第３の垂直な折込部とからなり、ドアを閉じたときに第１カバー体と第２カバー体とが二つ折りの姿勢になるとともに第２カバー体が弯曲姿勢となって第１カバー体をドアの内面に弾力的に押しつけて第１カバー体をドア内面に密接するようにした指詰め防止具。
【発明の詳細な説明】
【技術分野】
【０００１】
本発明は、ヒンジを支点として回動するスイングドアを閉じるときに、スイングドアの蝶番取付側の端縁部と固定枠部分の隙間に指が挟まることを防止する指詰め防止具に関する。
【背景技術】
【０００２】
一般に家屋内部には、部屋の出入り口を開閉するスイングドア（以下単にドアという）Ａが広く用いられている。このドアＡは、図５に示すようにヒンジＢを介して固定枠体Ｃに回動可能に取り付けられている。このようなドアにおいて、ドアＡを閉じる際に、ドアＡのヒンジ取付側の端縁部と固定枠体との隙間に指先が挟まれることが、特に幼児において発生することがある。そこで従来では、特許文献１示すような指詰防止のためのカバーを備えたドアが提案されている。
【先行技術文献】
【特許文献】
【０００３】
【特許文献１】実開平２−１３４２８２号公報
【発明の概要】
【発明が解決しようとする課題】
【０００４】
しかしながら、特許文献１に示す指詰め防止具では、ドア−(A)を閉じたときに、カバー部(1)、(2)と、取付け等片部(1a)、(1b)とを連結する谷折り線(1b)、(2b)が屈曲可能な状態にあるので、 カバー部(1)、(2)がドア−(A)とドア蝶着部材(B)との間で容易に揺動してその中間部位に留まることがあって外観が悪く、意匠感を尊重する建具では、実用的でないといった欠点があった。
【０００５】
そこで、本発明は、上記従来課題を解決した指詰め防止具を、簡単な構造で提供することを目的とする。
【課題を解決するための手段】
【０００６】
上記課題を解決するために本発明では次のような技術的手段を講じた。即ち、本発明の指詰め防止具にあっては、適度な弾性と硬度を有する一体的な合成樹脂シート材から構成され、ドアのヒンジ取付側端部に取り付けられた第１取付片と、固定枠体に取り付けられた第２取付片と、第１の垂直な折込部を介して展開可能に二つ折りされた第１カバー体並びに第２カバー体と、前記第１取付片と第１カバー体とを展開可能に連結する第２の垂直な折込部と、第２取付片と第２カバー体を展開可能に連結する第３の垂直な折込部とからなり、ドアを閉じたときに第１カバー体と第２カバー体とが二つ折りの姿勢になるとともに第２カバー体が弯曲姿勢となって第１カバー体をドアの内面に弾力的に押しつけて第１カバー体をドア内面に密接するようにした。
【発明の効果】
【０００７】
本発明は上記の如く構成したものであるから、ドアを閉じたときには、二つ折り姿勢となった第１カバー体と第２カバー体のうち、第２カバー体が弯曲姿勢となって第１カバー体をドアの内面に押しつける弾力が働き、この弾力によって第１カバー体が扉内面に強制的に密接させることができ、これによりカバー体がドアと固定枠体との間でふらつくようなことを確実に防止することができる。また、スプリング等の別部材を組み込むものでなく、カバー体を構成する合成樹脂シート材の弾力性を利用するものであるから、構造が簡単で安価であるといった効果がある。
【図面の簡単な説明】
【０００８】
【図１】本発明にかかる指詰め防止具を適用したドアの斜視図であって、ドアの閉じ姿勢を示す。
【図２】上記ドアの閉じ姿勢を示す平面図。
【図３】上記ドアの閉じ姿勢から９０度の開き姿勢までの過程を示す断面図。
【図４】別の実施例を示す図２同様の平面図。。
【図５】従来の指詰め事例を示す説明図。
【発明を実施するための形態】
【０００９】
以下において、本発明の詳細をその実施の形態を示す図面に基づいて詳細に説明する。  図において、符号Ａはドアであって、ヒンジＢにより垂直な固定枠体Ｃに回動可能に取り付けられている。
符号Ｄは本発明にかかる指詰め防止具であって、適度な弾性と硬度を有する合成樹脂シート材、例えば、ＡＢＳ樹脂シート材から一体的に形成され、ドアＡのヒンジ取付側端部、例えば、ドアＡの端面８にビスや接着剤を介して面接合で取り付けられた第１取付片１と、固定枠体Ｃにビスや接着剤を介して面接合で取り付けられた第２取付片２を備えている。
【００１０】
更に、この指詰め防止具Ｄは、第１の垂直な折込部３を介して展開可能に二つ折りされた第１カバー体４並びに第２カバー５体と、前記第１取付片１と第１カバー体４とを展開可能に連結する第２の垂直な折込部６と、前記第２取付片２と第２カバー体５を展開可能に連結する第３の垂直な折込部７とを備えている。そして、ドアＡを閉じたときに、第１カバー体４と第２カバー体５とが二つ折りの姿勢になるとともに、第２カバー体５が弯曲姿勢となって第１カバー体４をドアの内面９に弾力的に押しつけて第１カバー体をドア内面に密接するように構成されている。
【００１１】
上記指詰め防止具Ｄの折込部３、６、７は、この部位を支点としてヒンジのように揺動できるように、適度な深さのＶ溝を形成することによって前記折込部とするのも一つの手法であるが、指詰め防止具の樹脂成型時に、この折込部分のみを軟質材料で形成することも可能である。
【００１２】
上記の構成において、図３の（ａ）の閉じ姿勢から、図３の（ｃ）までのドアＡの開き過程において、またはその逆の閉じ過程において、ドアＡの蝶番取付側の端縁部と固定枠体Ｃとの隙間は、指詰め防止具Ｄによってカバーされているため、この隙間に指先が挟まれることはない。
また、ドアＡを閉じたときに、第１カバー体４と第２カバー体５とが二つ折りの姿勢になるとともに、第２カバー体５が弯曲姿勢となって第１カバー体４をドアの内面９に弾力的に押しつけて第１カバー体をドア内面に強制的に密接するので、指詰め防止具がふらつくようなことが無く、常に確実にドア内面に密接させることができる。
【００１３】
図４は、本発明の別の実施例を示すものであって、固定枠体Ｃに取り付けられる第２取付片２の一部を、固定枠体Ｃに形成された凸条部材Ｅの面に沿ってＬ型に変形させたものである。この実施例において、ドアＡの開閉時には、第２カバー体５は図の仮想線に示すように、第３の折込部７’を支点として揺動する。
【００１４】
以上、本発明の代表的な実施例について説明したが、本発明は必ずしも上記の実施例の構造のみに特定されるものではない。例えば、上記実施例では、指詰め防止具Ｄの第１取付片１をドアＡの端面８に取り付けたが、ドアＡの内面９に取り付けてもよい。また、指詰め防止具ＤはドアＡの上下方向の全長にわたって形成するのが好ましいが、必要な部分だけカバーするように部分的に形成してもよい。その他本発明では、その目的を達成し、請求の範囲を逸脱しない範囲内で適宜修正、変更することが可能である。
【産業上の利用可能性】
【００１５】
本発明の指詰め防止具は、建具や家具等のヒンジを支点として回動するスイングドア全般に適用することができる。
【符号の説明】
【００１６】
Ａ  ドア
Ｂ  ヒンジ
Ｃ  固定枠体
Ｄ  指詰め防止具
１  第１取付片
２  第２取付片
３  第１の折込部
４  第１カバー体
５  第２カバー体
６  第２の折込部
７  第３の折込部
８  ドアの端面
９  ドアの内面
【図１】
2011247007.tif 000003
【図２】
2011247007.tif 000004
【図３】
2011247007.tif 000005
【図４】
2011247007.tif 000006
【図５】
2011247007.tif 000007